(57)【要約】【課題】動物の登録を行なうことに対する飼い主のインセンティブを高め、動物の個体管理を支援することができる動物個体管理支援システムを提供する。【解決手段】クライアント端末、動物情報サーバ及びサービス提供者端末により動物の個体管理を支援する動物個体管理支援システムであって、動物情報サーバに個体管理情報及び生活情報を有する動物情報を登録すると共に、サービス提供者が動物に対して所定のサービスを提供した際には、動物情報サーバの生活情報を更新する。【選択図】図１
2008217578.tif 000002
【特許請求の範囲】
【請求項１】
クライアント端末、動物情報サーバ及びサービス提供者端末により動物の個体管理を支援する動物個体管理支援システムであって、
前記クライアント端末は、情報入手を希望する動物を特定するための特定情報を通信回線を介して送信する動物特定情報送信手段を備え、
前記動物情報サーバは、登録が法規により定められている個体管理情報及び登録が法規によって定められてはいないものの動物の生活状況が把握可能な生活情報を有する動物情報を登録する動物情報登録手段と、
前記動物特定情報送信手段によって送信された前記特定情報を受信し、同特定情報に基づいて前記動物情報登録手段に登録された動物情報の検索を行なう動物情報検索手段と、
該動物情報検索手段による検索結果を告知する検索結果告知手段とを備え、
前記サービス提供者端末は、動物に対して提供した所定のサービス内容を生活情報として前記動物情報サーバに通信回線を介して送信するサービス内容送信手段を備える
動物個体管理支援システム。
【請求項２】
前記クライアント端末は、動物情報を前記動物情報サーバに通信回線を介して送信する動物情報送信手段を備える
請求項１に記載の動物個体管理支援システム。
【請求項３】
前記動物情報サーバは、動物に対してのサービスを提供するサービス提供者に関する情報を告知するサービス提供者情報告知手段を備える
請求項１に記載の動物個体管理支援システム。
【請求項４】
前記特定情報が読み取り可能な状態で動物に付されている
請求項１に記載の動物個体管理支援システム。
【請求項５】
前記検索結果告知手段は、
前記特定情報の発信元と前記個体管理情報内の飼い主情報が一致した場合には、飼い主の個人情報をも含めて前記動物情報を告知し、
前記特定情報の発信元と前記個体管理情報内の飼い主情報が一致しない場合には、飼い主の個人情報を含まずに前記動物情報を告知する
請求項１に記載の動物個体管理支援システム。
【請求項６】
クライアント端末及び動物情報サーバにより動物の個体管理を支援する動物個体管理支援システムであって、
前記クライアント端末は、情報入手を希望する動物を特定するための特定情報を通信回線を介して送信する動物特定情報送信手段を備え、
前記動物情報サーバは、登録が法規により定められている個体管理情報及び登録が法規によって定められてはいないものの動物の生活状況が把握可能な生活情報を有する動物情報を登録する動物情報登録手段と、
前記動物特定情報送信手段によって送信された前記特定情報を受信し、同特定情報に基づいて前記動物情報登録手段に登録された動物情報の検索を行なう動物情報検索手段と、
該動物情報検索手段による検索結果を告知する検索結果告知手段とを備え、
前記動物情報登録手段には、動物に対してサービスの提供を行なうサービス提供者が提供した所定のサービス内容が通信回線を介して送信されて前記生活情報として登録される
動物個体管理支援システム。
【請求項７】
前記クライアント端末は、動物情報を前記動物情報サーバに通信回線を介して送信する動物情報送信手段を備える
請求項６に記載の動物個体管理支援システム。
【請求項８】
前記動物情報サーバは、動物に対してのサービスを提供するサービス提供者に関する情報を告知するサービス提供者情報告知手段を備える
請求項６に記載の動物個体管理支援システム。
【請求項９】
前記特定情報が読み取り可能な状態で動物に付されている
請求項６に記載の動物個体管理支援システム。
【請求項１０】
前記検索結果告知手段は、
前記特定情報の発信元と前記個体管理情報内の飼い主情報が一致した場合には、飼い主の個人情報をも含めて前記動物情報を告知し、
前記特定情報の発信元と前記個体管理情報内の飼い主情報が一致しない場合には、飼い主の個人情報を含まずに前記動物情報を告知する
請求項６に記載の動物個体管理支援システム。
【請求項１１】
動物情報サーバにより動物の個体管理を支援する動物個体管理支援システムであって、
前記動物情報サーバは、登録が法規により定められている個体管理情報及び登録が法規によって定められてはいないものの動物の生活状況が把握可能な生活情報を有する動物情報を登録する動物情報登録手段と、
情報入手を希望する動物を特定するための特定情報を通信回線を介して受信し、該特定情報に基づいて前記動物情報登録手段に登録された動物情報の検索を行なう動物情報検索手段と、
該動物情報検索手段による検索結果を告知する検索結果告知手段とを備え、
前記動物情報登録手段には、動物に対してサービスの提供を行なうサービス提供者が提供した所定のサービス内容が通信回線を介して送信されて前記生活情報として登録される
動物個体管理支援システム。
【請求項１２】
前記動物情報サーバは、動物に対してのサービスを提供するサービス提供者に関する情報を告知するサービス提供者情報告知手段を備える
請求項１１に記載の動物個体管理支援システム。
【請求項１３】
前記特定情報が読み取り可能な状態で動物に付されている
請求項１１に記載の動物個体管理支援システム。
【請求項１４】
前記検索結果告知手段は、
前記特定情報の発信元と前記個体管理情報内の飼い主情報が一致した場合には、飼い主の個人情報をも含めて前記動物情報を告知し、
前記特定情報の発信元と前記個体管理情報内の飼い主情報が一致しない場合には、飼い主の個人情報を含まずに前記動物情報を告知する
請求項１１に記載の動物個体管理支援システム。
【発明の詳細な説明】
【技術分野】
【０００１】
本発明は動物個体管理支援システムに関する。詳しくは、クライアント端末、動物情報サーバ及びサービス提供者端末により動物の個体管理を支援する動物個体管理支援システムに係るものである。
【背景技術】
【０００２】
平成１７年度の犬猫飼育率調査結果が発表され、それによれば飼育頭数は犬が１３００万頭、猫が１２００万頭といずれも増加傾向にあることが判明している。これに対して、都道府県の犬の登録頭数は全国で６５３万頭であり、飼育されている犬の登録率はわずか５０％程度であるのが実情である。
【０００３】
また、犬による咬傷事故が毎年６０００件程度報告されている現状にも拘らず、犬への狂犬病ワクチンの接種率は近年低下しており、厚生労働省の調査によれば平成１６年度の予防注射の実施率は未登録の犬も含めて僅かに３９％であり、流行を防ぐために必要とされるＷＨＯのガイドラインの７０％を遥かに下回っている。
【０００４】
なお、狂犬病の原因はウィルスであり、狂犬病ウィルスに感染し、発症した動物の唾液中にウィルスが含まれており、多くの場合にはこれらの動物に咬まれることで感染することとなる。ここ数年のＳＡＲＳや鳥インフルエンザ、ＢＳＥ等での我が国での騒動を鑑みた場合に、万が一我が国で狂犬病が発生した場合には国中がパニック状態に陥ることが考えられる。狂犬病の場合には感染して発症した場合の死亡率はほぼ１００％であることからその脅威はＳＡＲＳや鳥インフルエンザ、ＢＳＥ等とは比になるものではなく、飼っている犬に狂犬病の予防注射を接種することが唯一の日本への狂犬病侵入及び蔓延を抑制する手段といえる。
【０００５】
しかし、我が国では半世紀近く狂犬病の発生がなく狂犬病の恐ろしさが忘れ去られていることや、"室内飼いのために外に出さない"や"人に咬み付くはずがない"といった飼い主の安易な判断が狂犬病の予防接種率の低下を招いていると考えられる。
【０００６】
ところで、個体識別措置及び特定動物の飼養等規制の全国一律化などの改正が動物愛護管理法の法内で平成１８年６月１日より施行されており、『すべての人が「動物は命あるもの」であることを認識し、みだりに動物を虐待することのないようにするのみでなく、人間と動物が共に生きていける社会を目指し、動物の習性をよく知った上で適正に取り扱う』ということが基本原則に定められている（例えば、非特許文献１参照）。
【０００７】
【非特許文献１】環境省、"「動物の愛護及び管理に関する法律」の概要について"、インターネット＜URL：http://www.env.go.jp/nature/dobutsu/aigo/law_summ/gaiyo.html＞
【発明の開示】
【発明が解決しようとする課題】
【０００８】
しかしながら、上記した「動物の愛護及び管理に関する法律」については、平成１８年６月１日より施行されているものの、一般的には浸透しきれていないのが実情であり、飼い主の申告が無い限りは、予防接種を受けているのか否かについて第３者は判断することができず、個体の管理ができていない。
【０００９】
本発明は以上の点に鑑みて創案されたものであって、動物の登録を行なうことに対する飼い主のインセンティブを高め、動物の個体管理を支援することができる動物個体管理支援システムを提供することを目的とするものである。
【課題を解決するための手段】
【００１０】
上記の目的を達成するために、本発明に係る動物個体管理支援システムでは、クライアント端末、動物情報サーバ及びサービス提供者端末により動物の個体管理を支援する動物個体管理支援システムであって、前記クライアント端末は、情報入手を希望する動物を特定するための特定情報を通信回線を介して送信する動物特定情報送信手段を備え、前記動物情報サーバは、登録が法規により定められている個体管理情報及び登録が法規によって定められてはいないものの動物の生活状況が把握可能な生活情報を有する動物情報を登録する動物情報登録手段と、前記動物特定情報送信手段によって送信された前記特定情報を受信し、同特定情報に基づいて前記動物情報登録手段に登録された動物情報の検索を行なう動物情報検索手段と、該動物情報検索手段による検索結果を告知する検索結果告知手段とを備え、前記サービス提供者端末は、動物に対して提供した所定のサービス内容を生活情報として前記動物情報サーバに通信回線を介して送信するサービス内容送信手段を備える。
【００１１】
また、本発明に係る動物個体管理支援システムでは、クライアント端末及び動物情報サーバにより動物の個体管理を支援する動物個体管理支援システムであって、前記クライアント端末は、情報入手を希望する動物を特定するための特定情報を通信回線を介して送信する動物特定情報送信手段を備え、前記動物情報サーバは、登録が法規により定められている個体管理情報及び登録が法規によって定められてはいないものの動物の生活状況が把握可能な生活情報を有する動物情報を登録する動物情報登録手段と、前記動物特定情報送信手段によって送信された前記特定情報を受信し、同特定情報に基づいて前記動物情報登録手段に登録された動物情報の検索を行なう動物情報検索手段と、該動物情報検索手段による検索結果を告知する検索結果告知手段とを備え、前記動物情報登録手段には、動物に対してサービスの提供を行なうサービス提供者が提供した所定のサービス内容が通信回線を介して送信されて前記生活情報として登録されている。
【００１２】
更に、本発明に係る動物個体管理支援システムでは、動物情報サーバにより動物の個体管理を支援する動物個体管理支援システムであって、前記動物情報サーバは、登録が法規により定められている個体管理情報及び登録が法規によって定められてはいないものの動物の生活状況が把握可能な生活情報を有する動物情報を登録する動物情報登録手段と、情報入手を希望する動物を特定するための特定情報を通信回線を介して受信し、該特定情報に基づいて前記動物情報登録手段に登録された動物情報の検索を行なう動物情報検索手段と、該動物情報検索手段による検索結果を告知する検索結果告知手段とを備え、前記動物情報登録手段には、動物に対してサービスの提供を行なうサービス提供者が提供した所定のサービス内容が通信回線を介して送信されて前記生活情報として登録されている。
【００１３】
ここで、動物情報として登録が法規により定められている個体管理情報のみならず、登録が法規によって定められてはいないものの動物の生活状況が把握可能な生活情報をも含め、更には、動物に対してサービスの提供が行なわれた場合には、行なわれたサービスが生活情報として登録がなされるために、動物情報が飼い主にとって魅力的なものとなることが期待できる。
なお、動物特定情報送信手段により情報入手を希望する動物を特定するための特定情報を通信回線を介して送信することによって、動物情報サーバにおいて検索の対象とすべき動物情報の特定を行なっている。
また、動物情報登録手段により、登録が法規により定められている個体管理情報及び登録が法規によって定められてはいないものの動物の生活状況が把握可能な生活情報を有する動物情報を登録し、動物情報に基づき検索を行なう際の被検索データを構成している。
更に、動物情報検索手段により、動物情報登録手段に登録された動物情報の中から、特定情報に基づいて検索を行なう。
また、検索結果告知手段により、情報入手を希望する動物の特定情報を通信回線を介して送信したユーザは情報入手を希望する動物の情報を得ることができる。
【発明の効果】
【００１４】
上記した本発明を適用した動物個体管理支援システムでは、動物情報そのものが飼い主にとって魅力的なものとなり、動物の登録を行なおうという飼い主のインセンティブを高めることができ、動物の登録率の向上を図ることで、充分な個体の管理を実現することができる。
【発明を実施するための最良の形態】
【００１５】
以下、本発明の実施の形態について図面を参照しながら説明し、本発明の理解に供する。
図１は本発明を適用した動物個体管理支援システムの一例を説明するためのブロック図を示す。ここで示すクライアント端末１は愛護動物の飼い主が利用するパソコンや携帯電話機器でありインターネット２を介して動物情報サーバ３と相互に通信が可能である様に構成されている。
また、動物病院端末１０は動物病院に設置してあり、インターネット２を介して動物情報サーバと相互に通信が可能である様に構成されている。同様に、ペットフード店端末１１はペットフード店に設置してあり、インターネット２を介して動物情報サーバと相互に通信が可能である様に構成されている。
更に、第３者端末１２は飼い主とは無関係の第３者の家に設置されたパソコン若しくは第３者が所有する携帯電話機器でありインターネット２を介して動物情報サーバ３と相互に通信が可能である様に構成されている。
【００１６】
ここで、クライアント端末と動物情報サーバの通信は、クライアント端末が動物情報サーバにアクセスすることが可能であれば充分であり、必ずしもインターネット接続を利用する必要は無いのであって、ＬＡＮ（Ｌｏｃａｌ  Ａｒｅａ  Ｎｅｔｗｏｒｋ）接続等を利用しても良い。同様に、動物病院端末と動物情報サーバとの通信及びペットフード店端末と動物情報サーバとの通信についても、動物病院端末やペットフード店端末が動物情報サーバにアクセスすることができれば充分であり、必ずしもインターネット２を介して接続する必要は無い。
また、第３者端末と動物情報サーバとの通信についても、第３者端末が動物情報サーバにアクセスすることができれば充分であり、必ずしもインターネット２を介して接続する必要は無い。
【００１７】
ここで、クライアント端末は、動物特定情報送信手段４及び動物情報送信手段５を有し、動物特定情報送信手段は、飼い主が自分の愛護動物（例えば犬）に付されたマイクロチップのコード番号を送信することができる様に構成されており、動物情報送信手段は、飼い主が自分の愛護動物の動物情報を動物情報サーバに登録する際に動物情報を送信することができる様に構成されている。
【００１８】
なお、動物特定情報送信手段によって送信する愛護動物を特定するための特定情報は、飼い主が情報入手を希望する自分の愛護動物を特定することができれば充分であり、必ずしもマイクロチップのコード番号を送信する必要は無く、飼い主が情報入手を希望する自分の愛護動物を特定することができる情報であればいかなる情報であっても良い。
また、飼い主自身が自分の愛護動物の動物情報を登録しない場合（例えば、動物情報サーバを運営する業者が動物情報を登録する場合等）には、クライアント端末には必ずしも動物情報送信手段を備える必要はない。
【００１９】
また、動物情報サーバは、動物情報登録手段６、動物情報検索手段７、検索結果告知手段８及びサービス提供者告知手段９を有している。
動物情報登録手段は、例えば動物の愛護及び管理に関する法律等で登録が定められている個体管理情報の登録を行なう個体管理情報登録手段６ａと、法律等では登録が定められてはいないものの愛護動物の生活状況を把握する上で重要な生活情報の登録を行なう生活情報登録手段６ｂとから構成されている。なお、具体的な登録項目としては、個体管理情報としては、名前、種類（犬種等）、年齢、性別、体重、住所、マイクロチップのコード番号、毛の色、毛の特徴、予防接種履歴（次回の接種予定日）であり、生活情報としては、好きなこと、好きな食べ物、嫌いなこと、嫌いな食べ物、自慢芸・得意技、人見知り度合い、飼育場所、散歩の頻度、散歩の時間、名前の由来、飼い主が飼うことになった経緯、病気履歴、成長記録（体重の変化等）である。
また、動物情報検索手段は、クライアント端末の動物特定情報送信手段によって送信されたマイクロチップのコード番号に基づいて、動物情報登録手段の中から一致するマイクロチップのコード番号の検索を行なうことができる様に構成されている。
更に、検索結果告知手段は、検索結果である動物情報を、クライアント端末の操作を行っている愛護動物の飼い主に対してホームページ上で告知ができる様に構成されている。
また、サービス提供者告知手段は、愛護動物の飼い主に対して、愛護動物にサービスを提供する者（動物病院やペットフード商店等）についての情報を提供することができるように構成されている。
【００２０】
また、動物病院端末は、病気履歴送信手段１３を有し、動物病院での治療に関する情報（病気履歴等）を動物情報サーバに生活情報として送信することができる様に構成され、送信された生活情報は動物情報サーバの生活情報登録手段に登録される様に構成されている。同様に、ペットフード店端末は、ペットフード購入履歴送信手段１４を有し、ペットフード店でのペットフードの購入に関する情報（購入したペットフードの種類等）を動物情報サーバに生活情報として送信することができる様に構成され、送信された生活情報は動物情報サーバの生活情報登録手段に登録される様に構成されている。
【００２１】
また、第３者端末は、クライアント端末と同様に動物特定情報送信手段４を有し、愛護動物に付されたマイクロチップのコード番号を送信することができる様に構成されている。
【００２２】
なお、検索結果告知手段は、飼い主本人から動物情報の入手を求められた場合（告知しようとする動物情報の飼い主情報とマイクロチップのコード番号の発信者が同一の場合）には、飼い主の個人情報も含めて動物情報サーバに登録がなされている動物情報の全てを告知する。
一方、飼い主本人以外から動物情報の入手を求められた場合（告知しようとする動物情報の飼い主情報とマイクロチップのコード番号の発信者が同一ではない場合）には、動物情報サーバに登録がなされている動物情報のうちの飼い主の個人情報を除いた情報を告知する。具体的には、動物病院端末、ペットフード店端末及び第３者端末から動物情報の入手が求められた場合には、飼い主の個人情報以外の動物情報が告知されることとなる。
【００２３】
上記の様に構成された動物個体管理支援システムでは、先ず、システムの利用を希望するユーザ（愛護動物の飼い主）は、パソコンや携帯電話機器の動物情報送信手段を用いて、動物情報サーバに、名前、種類（犬種等）、年齢、性別、体重、住所、マイクロチップのコード番号、毛の色、毛の特徴、予防接種履歴（次回の接種予定日）、好きなこと、好きな食べ物、嫌いなこと、嫌いな食べ物、自慢芸・得意技、人見知り度合い、飼育場所、散歩の頻度、散歩の時間、名前の由来、飼い主が飼うことになった経緯、病気履歴、成長記録（体重の変化等）について送信する。
ユーザのクライアント端末から動物情報を受信した動物情報サーバでは、名前、種類（犬種等）、年齢、性別、体重、住所、マイクロチップのコード番号、毛の色、毛の特徴、予防接種履歴（次回の接種予定日）について個体管理情報登録手段に登録を行い、好きなこと、好きな食べ物、嫌いなこと、嫌いな食べ物、自慢芸・得意技、人見知り度合い、飼育場所、散歩の頻度、散歩の時間、名前の由来、飼い主が飼うことになった経緯、病気履歴、成長記録（体重の変化等）について生活情報登録手段に登録を行なう。
【００２４】
ここで、システムの利用者に対しては、二次元バーコードが付された会員カードを発行すると共に、二次元バーコードが付された愛護動物に取り付け可能な物（例えば首輪等）も同時に作成する。
なお、二次元バーコードを携帯電話機器等で読み取ることによって動物情報サーバにアクセスすることができ、二次元バーコードを読み取って動物情報サーバにアクセスした際には同時に愛護動物に付されたマイクロチップのコード番号の情報を動物情報サーバに送信することができる様に構成されている。即ち、会員カードに付された二次元バーコードや首輪等に付された二次元バーコードを読み取るだけで動物情報サーバにアクセスすることができるのである。二次元バーコードを読み取って動物情報サーバにアクセスする際に、携帯電話機器の情報をも動物情報サーバに送信して、飼い主本人が動物情報の入手を求めているか、第３者が動物情報の入手を求めているかの判断を行なう。
【００２５】
また、システムの利用を希望するサービス提供者（例えば、動物病院、ペットフード店）は、先ず、サービス提供者の端末から動物情報サーバにアクセス可能な環境を整える。具体的には、動物病院端末がインターネットを介して動物情報サーバと相互に通信が可能である様な環境を整備し、ペットフード店端末がインターネットを介して動物情報サーバと相互に通信が可能である様な環境を整備するといった具合である。
なお、サービス提供者の情報は動物情報サーバのサービス提供者告知手段によって本システムの利用者にその情報が告知されることとなる。具体的には、ホームページ上にサービス提供者の情報が掲載されたり、システム利用者宛にサービス提供者についての情報が記載さえた電子メールが配信されたりする。
【００２６】
さて、システムの利用者（愛護動物の飼い主）がサービス提供者からサービスの提供を受けた場合には、サービス提供者は提供したサービス内容に関する情報をインターネットを介して動物情報サーバに送信する。具体的には、システムの利用者が動物病院で治療を受けた場合には、動物病院は動物病院端末（例えばパソコン）の病気履歴送信手段を用いて動物情報サーバに病気履歴について送信する。同様に、システム利用者がペットフード店でペットフードを購入した場合には、ペットフード店はペットフード店端末（例えばパソコン）のペットフード購入履歴送信手段を用いて動物情報サーバにペットフード購入履歴について送信する。そして、動物情報サーバに送信された病気履歴及びペットフード購入履歴については、生活情報として生活情報登録手段に登録されることとなる。なお、サービス提供者による動物情報サーバへの送信については、例えば、会員カードにクレジット機能を付加しておき、クレジットカード（会員カード）を利用した際に自動的に必要な情報が動物情報サーバに送信できる様に構成するといった方法が考えられる。
【００２７】
本発明を適用した動物個体管理支援システムでは、システムの利用者がサービス提供者からサービスを受けたという履歴については、システムの利用者が何らの登録作業を行なうことなく動物情報サーバの動物情報として蓄積されていることとなり、システムの利用者はサービス提供者から通常と同様のサービスを受けるのみで動物情報の蓄積が可能であるために、必要に応じて動物情報の閲覧を行いたいと願う愛護動物の飼い主のニーズを充分に満足させることができるものであり、システムの利用者の増加によって、愛護動物の個体管理の徹底を図ることができる。
即ち、単に個体管理情報のみを管理する方法では、愛護動物の飼い主にとっては個体情報を登録しようというインセンティブに乏しいと考えられるが、個体情報のみならず生活情報をも登録することとし、更には、日々の生活において時々刻々と変化する生活情報を常に新しい状態に保つことによって、情報を登録しようというインセンティブを喚起することができ、愛護動物の管理の徹底が期待できるのである。
【００２８】
また、サービス提供者にとっても、「動物情報の蓄積に対応している」という点で他のサービス提供者との差別化を図ることができ、本システムを利用することによる顧客の拡大が期待できる。なお、動物情報サーバのサービス提供者告知手段の告知によりシステムの利用者に対してサービス提供者の充分な情報を発することによって、サービスの提供者の顧客拡大がより一層期待できる。
【００２９】
また、愛護動物が迷子になった場合には、迷子になった愛護動物を見つけた第３者が、愛護動物の首輪に付されている二次元バーコードを携帯電話機器（第３者端末）で読み取ることで、迷子の愛護動物の飼い主情報（飼い主の個人情報は除く）等を得ることができるために、迷子の愛護動物についても充分な対応が可能となる。
【００３０】
更に、サービス提供者が動物情報サーバにアクセスを行なって動物情報（飼い主の個人情報は除く）、特に生活情報を得ることによって、サービス提供者の顧客（飼い主）の購入履歴が把握でき、サービス提供者のサービスのＰＲが可能となり、サービス提供者にとっての顧客拡大が期待できる。また、愛護動物の趣味や嗜好等のデータが一元化されることによって、サービス提供者にとってはターゲッティング広告が可能となり、新たな商品やサービスの開発の際の貴重な情報を得ることができると共に、飼い主にとってはサービス提供者からニーズに即した貴重な情報を得ることが可能となる。
【００３１】
なお、本発明を適用した動物個体管理支援システムでは、サービス提供者が動物情報サーバに病気履歴やペットフード購入履歴等の生活情報を送信することが前提となり、サービス提供者が生活情報の送信を行なわない場合には、システムが有効に機能しないということになってしまうとも考えられる。
そこで、例えば、本システムの利用者には動物共済保険への加入を行い、動物病院での治療費の清算については共済保険で対応するといったことにすると、動物病院での治療領収証を共済へ飼い主が提出し、共済側としては相互性を確認するために治療履歴を確認する必要が生じ、動物病院としても治療費の受領のためにも生活情報の送信を行なおうとするインセンティブが向上するものと考えられる。
【図面の簡単な説明】
【００３２】
【図１】本発明を適用した動物個体管理支援システムの一例を説明するためのブロック図である。
【符号の説明】
【００３３】
１    クライアント端末
２    インターネット
３    動物情報サーバ
４    動物特定情報送信手段
５    動物情報送信手段
６    動物情報登録手段
６ａ  個体管理情報登録手段
６ｂ  生活情報登録手段
７    動物情報検索手段
８    検索結果告知手段
９    サービス提供者告知手段
１０    動物病院端末
１１    ペットフード店端末
１２    第３者端末
１３    病気履歴送信手段
１４    購入履歴送信手段
【図１】
2008217578.tif 000003